(57)【要約】【課題】  基材から剥離紙の一部を剥離して被貼着面に貼着する作業を容易且つ確実に行うことができる剥離紙切断具を提供する。【解決手段】  基材に粘着層を介して粘着された剥離紙のみを切断して、剥離紙の一部を基材から剥離可能にする剥離紙切断具１であって、基材と剥離紙との間に挿入可能な受部１０と、受部１０の上方に支持された刃部２０と、受部１０に支持部３０を介して設けられた把持部４０とを備え、支持部３０は、刃部２０により切断された剥離紙の被切断部を通過可能となるように配置され、刃部２０に向けて先細に形成されている。【選択図】  図１
2019055118.tif 000002
【特許請求の範囲】
【請求項１】
基材に粘着層を介して粘着された剥離紙のみを切断して、前記剥離紙の一部を前記基材から剥離可能にする剥離紙切断具であって、
前記基材と前記剥離紙との間に挿入可能な受部と、
前記受部の上方に支持された刃部と、
前記受部に支持部を介して設けられた把持部とを備え、
前記支持部は、前記刃部により切断された前記剥離紙の被切断部を通過可能となるように配置され、前記刃部に向けて先細に形成されている剥離紙切断具。
【請求項２】
前記支持部は、両側面の一方側が切断方向に平行なガイド面を有し、両側面の他方側が切断方向に対して傾斜する傾斜面を有する請求項１に記載の剥離紙切断具。
【請求項３】
前記支持部の先端部および前記刃部は、切断方向に対して互いにオフセットするように配置されている請求項１または２に記載の剥離紙切断具。
【請求項４】
前記把持部は、平板状のスキージからなり、
前記刃部は、前記把持部に沿って設けられている請求項１から３のいずれかに記載の剥離紙切断具。
【発明の詳細な説明】
【技術分野】
【０００１】
本発明は、剥離紙切断具に関し、より詳しくは、壁紙等の基材に粘着層を介して粘着された剥離紙のみを切断して、剥離紙の一部を基材から剥離可能にする剥離紙切断具に関する。
【背景技術】
【０００２】
壁紙等の基材を壁等の被貼着面に貼着する際には、まず、基材をハサミ等で適当な長さに切断した後、基材に貼り合わされた剥離紙を剥離して、基材の粘着層を被貼着面に貼り付けることが、一般に行われている。切断した基材が大型の場合には、剥離紙を全て剥離すると、粘着層が意図しない箇所に貼り付いて基材の貼着作業が困難になり易いことから、剥離紙の中央部等を部分的に剥離して被貼着面に貼り付けた後、残部の剥離紙を剥離して被貼着面に貼り付けることが従来から行われている。このような剥離紙の部分的な剥離を容易にするものとして、特許文献１に開示された剥離紙切断用工具が知られている。
【０００３】
この剥離紙切断用工具は、柄に固定されたカッターの下方に、支持板を介してガイドプレートが設けられており、基材と剥離紙との間にガイドプレートを差し込んで手前に引くことにより、カッターが剥離紙のみを切断するように構成されている。
【先行技術文献】
【特許文献】
【０００４】
【特許文献１】特開２００３−３４０１７４号公報
【発明の概要】
【発明が解決しようとする課題】
【０００５】
ところが、上記従来の剥離紙切断用工具は、カッターが切断した剥離紙の被切断部を支持板が通過することによって、被切断部の両側において、剥離紙の縁部が起立した状態になる。このため、基材から剥離紙の一部を剥離して被貼着面に貼着する際に、基材に残留する剥離紙の起立した縁部が被貼着面に当接して、スムーズな貼着作業の妨げになるおそれがあった。
【０００６】
そこで、本発明は、基材から剥離紙の一部を剥離して被貼着面に貼着する作業を容易且つ確実に行うことができる剥離紙切断具の提供を目的とする。
【課題を解決するための手段】
【０００７】
本発明の前記目的は、基材に粘着層を介して粘着された剥離紙のみを切断して、前記剥離紙の一部を前記基材から剥離可能にする剥離紙切断具であって、前記基材と前記剥離紙との間に挿入可能な受部と、前記受部の上方に支持された刃部と、前記受部に支持部を介して設けられた把持部とを備え、前記支持部は、前記刃部により切断された前記剥離紙の被切断部を通過可能となるように配置され、前記刃部に向けて先細に形成されている剥離紙切断具により達成される。
【０００８】
この剥離紙切断具において、前記支持部は、両側面の一方側が切断方向に平行なガイド面を有し、両側面の他方側が切断方向に対して傾斜する傾斜面を有することが好ましい。
【０００９】
前記支持部の先端部および前記刃部は、切断方向に対して互いにオフセットするように配置されていることが好ましい。
【００１０】
前記把持部は、平板状のスキージからなることが好ましく、前記刃部は、前記把持部に沿って設けられていることが好ましい。
【発明の効果】
【００１１】
本発明の剥離紙切断具によれば、基材から剥離紙の一部を剥離して被貼着面に貼着する作業を容易且つ確実に行うことができる。
【図面の簡単な説明】
【００１２】
【図１】本発明の一実施形態に係る剥離紙切断具の正面図であり、カバーを開いた状態を示している。
【図２】前記剥離紙切断具のカバーを閉じた状態を示す正面図である。
【図３】図２のＡ−Ａ断面図である。
【図４】前記剥離紙切断具により切断された剥離紙を示す要部断面図である。
【発明を実施するための形態】
【００１３】
以下、本発明の実施の形態について、添付図面を参照して説明する。図１および図２は、本発明の一実施形態に係る剥離紙切断具の正面図であり、図１は、カバーを開いた状態を示し、図２は、カバーを閉じた状態を示している。図１および図２に示すように、剥離紙切断具１は、受部１０、刃部２０、支持部３０および把持部４０を備えており、壁紙等の基材に粘着層を介して粘着された剥離紙のみを切断して基材を被貼着面に貼着する作業において、好適に使用することができる。受部１０、支持部３０および把持部４０は、例えば合成樹脂等により一体成形することができる。
【００１４】
受部１０は、矩形板状に形成されており、先端に向けて厚みが徐々に小さくなる挿入部１２を先端側に備えている。受部１０は、基端側の上面から起立する支持部３０を介して把持部４０の基部側の下端部に連結されている。受部１０と把持部４０との間には、剥離紙が挿入される隙間が形成されている。
【００１５】
把持部４０は、矩形平板状に形成されたスキージからなり、把持部４０の上縁部が、被貼着面に基材を貼着する際に使用する押圧部４１とされている。把持部４０の下部には、刃部２０が着脱可能に係合する複数の係合部４８を有する取付部４２が設けられている。
【００１６】
刃部２０は、矩形状に形成された薄いカミソリ状の刃からなり、下縁に形成された刃先２２が挿入部１２から支持部３０に向けて斜め下方に傾斜し、受部１０の上面に当接するように支持されている。取付部４２の基部側には、回動部４６を介してカバー４４が回動可能に連設されており、カバー４４を閉じることにより、取付部４２に複数設けられた突片４２ａが、カバー４４に複数形成された挿入孔４４ａにそれぞれ挿入される。取付部４２の先端側下部には、回動部４２ｃおいて回動可能に支持されたロック片４２ｂが設けられており、カバー４４を閉じた状態でロック片４２ｂを押し上げることにより、カバー４４の切欠部４４ｂに形成された係合片４４ｃがロック片４２ｂに係合してカバー４４が固定され、取付部４２とカバー４４との間に刃部２０が挟持される。本実施形態の刃部２０は、把持部４０に支持される構成としているが、受部１０の上面に取り付けることも可能である。
【００１７】
図３は、図２のＡ−Ａ断面図である。図３に示すように、支持部材３０は、刃部２０に向けて先細になるように、平面視において略三角形状に形成されている。支持部材３０の両側面の一方側は、刃部２０の切断方向（矢示Ａ方向）に平行なガイド面３２を備えており、支持部材３０の両側面の他方側は、刃部２０の切断方向に対して傾斜する傾斜面３４を備えている。
【００１８】
刃部２０の先鋭に形成された先端部３６は、刃部２０の延長線上には存在せず、刃部２０の厚み方向に若干のずれが生じている。すなわち、先端部３６および刃部２０は、切断方向（矢示Ａ方向）に対して互いにオフセットするように配置されている。先端部３６および刃部２０のオフセット量は、例えば、刃部２０の厚みと同程度の０．１〜０．２ｍｍ程度である。
【００１９】
上記の構成を備える剥離紙切断具１は、図４に示すように、基材５１に粘着層５２を介して貼り合わされた剥離紙５３のみを切断して、剥離紙５３に被切断部５４を形成することができる。すなわち、受部１０の挿入部１２を基材５１と剥離紙５３との間に縁部から挿入した後、受部１０を図３の矢示Ａ方向に移動させることにより、剥離紙５３が刃部２０を通過して徐々に切断され、被切断部５４が形成される。剥離紙５３の被切断部５４の両側は、支持部３０を通過する際に、一方側がガイド面３２に沿って摺動することにより粘着層５２に貼り合わされた状態が維持される一方、他方側が傾斜面５４によって持ち上げられることにより、図４に示すように剥離紙５３の縁部に起立部５５が形成される。
【００２０】
こうして、剥離紙５３の被切断部５４の一方側のみに起立部５５が形成されることにより、被貼着面に対する基材５１の貼着作業においては、起立部５５を摘まんで剥離紙５３の一部を基材５１から容易に剥離して、露出した粘着層５２を被貼着面に貼着することができる。このとき、粘着層５２を覆う残部の剥離紙５３には従来のように起立部が形成されないため、露出した粘着層５２の全体を被貼着面に確実に貼着することができる。したがって、その後に残部の剥離紙５３を剥離して、基材５１の全体を被貼着面に貼着する作業を容易に行うことができる。
【００２１】
このように、本実施形態の剥離紙切断具１は、支持部３０が刃部２０に向けて先細に形成されることにより、剥離紙５３の被切断部５４の一方側のみに起立部５５を形成することができるので、基材５１が大型であっても、剥離紙５３を部分的に剥離しながら基材５１の貼着作業を容易に行うことができる。例えば、剥離紙５３の中央部を最初に剥離する場合には、中央部の両側２か所を剥離紙切断具１により互いに逆方向に切断することにより、切断された剥離紙５３の中央部のみに起立部５５を形成することができる。被切断部５４の起立部５５が形成される側を作業者が事前に把握し易いように、把持部４０の一方側にマークや色付け等を行ってもよい。
【００２２】
また、支持部３０の両側面の一方側が切断方向に平行なガイド面３２を有し、他方側が切断方向に対して傾斜する傾斜面３４を有することにより、被切断部５４の一方側のみの起立部５５の形成を、より容易に行うことができる。図３に示すように、支持部３０のガイド面３２に対する傾斜面３４の傾斜角度θは、小さすぎると支持部３０の十分な強度を確保し難い一方、大きすぎると、剥離紙５３の被切断部５４を支持部３０がスムーズに通過し難くなることから、例えば、２０〜３０°であることが好ましい。
【００２３】
支持部３０の先端部３６は、刃部２０の延長線上に配置されていてもよいが、本実施形態のように、先端部３６および刃部２０を切断方向に対して互いに若干オフセットさせることにより、支持部３０が剥離紙５３の被切断部５４を通過する際に、先端部３６が剥離紙５３に当接して持ち上げるため、被切断部５４の一方側のみに起立部５５を確実に形成することができる。
【００２４】
把持部４０は、本実施形態のように平板状のスキージであることが好ましく、把持部４０に沿って刃部２０を設けることにより、平板状の向きに沿って剥離紙５３を容易に切断することができると共に、基材５１を被貼着面に貼着するまでの一連の作業を迅速に行うことができる。但し、把持部４０は、作業者が把持し易い任意の形状とすることが可能であり、例えば、支持部３０に連続する棒状の部材であってもよい。
【符号の説明】
【００２５】
１  剥離紙切断具
１０  受部
２０  刃部
３０  支持部
３２  ガイド面
３４  傾斜面
３６  先端部
４０  把持部
５１  基材
５２  粘着層
５３  剥離紙
５４  被切断部
【図１】
2019055118.tif 000003
【図２】
2019055118.tif 000004
【図３】
2019055118.tif 000005
【図４】
2019055118.tif 000006